(57)【要約】【課題】連続的に走行する帯状の支持体上に塗布液を塗布して形成した塗布膜を乾燥風で乾燥する際に、塗布膜の乾燥状態が端部と中央部とで異なることのない塗布膜の乾燥装置及びそれにより製造された光学フィルムを提供する。【解決手段】塗布膜が形成された連続走行する帯状の支持体１４を搬入出させるための入口３２と出口３６とを有するケーシングと、支持体１４の塗布膜面の全面に乾燥風を吹き付ける吹付手段２８と、支持体１４の塗布膜面から３〜１００ｍｍの距離に、支持体１４に対して略平行に設けられた多孔性の吹出板６０と、支持体幅方向両端部に吹き付けられる乾燥風を減少させる、吹出板に対して略平行且つ支持体幅方向の両端部側に設けられた遮風板６２と、を有するようにする。【選択図】図３
2010069443.tif 000002
【特許請求の範囲】
【請求項１】
塗布膜が形成された連続走行する帯状の支持体を搬入出させるための入口と出口とを有するケーシングと、
前記ケーシング内に設けられ、前記支持体の塗布膜面の全面に乾燥風を吹き付ける吹付手段と、
前記支持体の塗布膜面から３〜１００ｍｍの距離に、前記支持体に対して略平行に設けられた多孔性の吹出板と、
前記吹出板と前記吹付手段との間であって、前記支持体幅方向両端部に吹き付けられる乾燥風を減少させる、前記吹出板に対して略平行且つ前記支持体幅方向の両端部側に設けられた遮風板と、
を有することを特徴とする塗布膜の乾燥装置。
【請求項２】
前記遮風板は、前記吹出板の直上又は前記吹出板から浮上させて設けられていることを特徴とする請求項１に記載の塗布膜の乾燥装置。
【請求項３】
前記両端部側に設けられた遮風板は、それぞれ前記塗布膜の５％以上の幅を覆うことを特徴とする請求項１又は２に記載の塗布膜の乾燥装置。
【請求項４】
前記吹出板は、前記支持体から５〜２５ｍｍの距離に設けられていることを特徴とする請求項１〜３の何れか１に記載の塗布膜の乾燥装置。
【請求項５】
前記遮風板は、前記吹出板からの距離及び／又は前記幅の範囲で調整可能であることを特徴とする請求項２又は３に記載の塗布膜の乾燥装置。
【請求項６】
前記吹出板は、前記塗布膜面からの距離の範囲で調整可能であることを特徴とする請求項４に記載の塗布膜の乾燥装置。
【請求項７】
請求項１〜６の何れか１に記載の塗布膜の乾燥装置を用いて製造されたことを特徴とする光学フィルム。
【発明の詳細な説明】
【技術分野】
【０００１】
本発明は塗布膜の乾燥装置及びそれにより製造された光学フィルムに係り、特に連続的に走行する帯状支持体上に塗布液を塗布して塗布膜を形成させた後、乾燥風を塗布膜に吹き付けることで乾燥する塗布膜の乾燥装置及びそれにより製造された光学フィルムに関する。
【背景技術】
【０００２】
従来から、連続走行している帯状支持体に塗布液を塗布する方法としては、各種提案されており、例えば、これらの各種塗布方式については、Ｅｄｗａｒｄ Ｃｏｈｅｎ、Ｅｄｇａｒ Ｇｕｔｏｆｆ著「Ｍｏｄｅｒｎ Ｃｏａｔｉｎｇ ａｎｄ Ｄｒｙｉｎｇ Ｔｅｃｈｎｏｌｏｇｙ」に述べられている。又、単層塗布のみならず、スライドコーターやエクストルージョンコーターやカーテンコーターなど複数のスリットを有するコーティングダイを用いることにより、同時に重層塗布することも知られている。
【０００３】
又、連続走行している支持体に塗布液を塗布した後、乾燥する方法としては、先述のＥｄｗａｒｄ Ｃｏｈｅｎ、 Ｅｄｇａｒ Ｇｕｔｏｆｆ著「Ｍｏｄｅｒｎ Ｃｏａｔｉｎｇ ａｎｄ Ｄｒｙｉｎｇ Ｔｅｃｈｎｏｌｏｇｙ」に述べられている各種の方法が提案されてきた。最も一般的には乾燥ボックスに温風を供給し、その温風によって塗布膜を乾燥させ、気化した溶媒を気流とともに系外へ排出する方法である。また、可燃性有機溶剤を用いる場合にはエアの代わりに不活性ガスを供給し、実質的に爆発のない安全な仕組みにする装置も知られている。
【０００４】
乾燥装置は、塗布直後の塗布膜面を加熱した雰囲気、風が当たる雰囲気にさらすために、塗布膜面の性状に影響を与えてしまう。一般的に乾燥装置の乾燥風における塗布膜面に与える問題として風が当たることにより塗布膜表面が乱され、表面の平滑度を失い、いわゆる吹かれムラが生じたり、乾燥装置内の温度、温風の風量等のバラツキにより乾燥ムラが生じたりすることが知られている。特に、塗布膜の幅方向の両端近傍で吹かれムラや斑ムラが生じることが知られている。尚、本発明において溶媒とは、水、有機溶剤を含む。そして、乾燥装置で乾燥が適正に行われなかった場合には、得られる塗布膜の外観にムラを生じたり、塗布膜中の残留溶媒が適正量でなかったり、残留溶媒量にバラツキを生じたりして、最終的な塗布膜品質に影響を与えることが知られている。
【０００５】
そこで、例えば、特許文献１には、乾燥装置内の塗布膜の裏面側のロールを上下に動かすことで簡易的に乾燥を調節することが提案されている。そして、特許文献２には、乾燥ゾーン内の上流から下流へ行くに従って乾燥風の風速を徐々に小さくすることで、乾燥ムラを顕著に低減することができることが開示されている。また、特許文献３には、スリットノズルからの風が支持体端部で外側へ吹き抜けることによって乾燥状態が支持体の端部と中央部とで異なるという問題の対策として、サイド整流板、ヒサシ板、縮流型ノズルを使うことが開示されている。
【特許文献１】特開２００１−１２１０５８号公報
【特許文献２】特開２００５−８１２５６号公報
【特許文献３】特開２００５−１８５９９７号公報
【発明の開示】
【発明が解決しようとする課題】
【０００６】
しかしながら、特許文献１〜３によっても、塗布膜の乾燥状態が端部と中央部とで異なるという問題がある。即ち、乾燥風を支持体の塗布膜へ吹き付けることで、塗布膜の支持体端部が中央部よりも乾燥し易くなる。これにより、塗布膜の支持体端部と中央部との均一乾燥ができなくなる。
【０００７】
本発明はこのような事情に鑑みて成されたもので、連続的に走行する帯状の支持体上に塗布液を塗布して形成した塗布膜に、乾燥風を吹き付けて塗布膜を乾燥する際に、塗布膜の乾燥状態が端部と中央部とで異なることのない、精密乾燥が要求される光学フィルムの乾燥に好適な塗布膜の乾燥装置及びそれにより製造された光学フィルムを提供することを目的とする。
【課題を解決するための手段】
【０００８】
請求項１に記載の発明は、前記目的を達成するために、塗布膜が形成された連続走行する帯状の支持体を搬入出させるための入口と出口とを有するケーシングと、前記ケーシング内に設けられ、前記支持体の塗布膜面の全面に乾燥風を吹き付ける吹付手段と、前記支持体の塗布膜面から３〜１００ｍｍの距離に、前記支持体に対して略平行に設けられた多孔性の吹出板と、前記吹出板と前記吹付手段との間であって、前記支持体幅方向両端部に吹き付けられる乾燥風を減少させる、前記吹出板に対して略平行且つ前記支持体幅方向の両端部側に設けられた遮風板と、を有することを特徴とする塗布膜の乾燥装置を提供する。
【０００９】
従来から、面内均一精密乾燥をしたい場合には、支持体に対して略平行に多孔性の吹出板を設けることで、吹付手段から吹き付けられる乾燥風を塗布膜に均等に吹き付けるようにすることが行われて来た。しかしながら、このように吹出板を設けることで支持体幅方向の吹き付け風速分布を均一化することはできるが、吹出板と塗布膜面との距離が３〜１００ｍｍと比較的狭い場合には、塗布膜の中央部付近から蒸発する溶媒ガス量が、塗布膜面と吹出板間の空間体積に対して無視できないほど大きくなるため、支持体の両端部付近では吹出板からの吹き付け風量と塗布膜中央部付近で蒸発した溶媒ガス量が加算されて、塗布膜面上を流れるが中央部に比べて大きくなってしまうため、塗布膜両端部が速乾してしまい、塗布膜中央部と乾膜厚みが異なったり、塗膜上に存在する粒子を覆う極薄膜厚みが異なる等の乾燥状態の違いが生じ、外観ムラが発現してしまう現象が見られる。そこで、支持体幅方向両端部の塗膜面上を流れる風速を減少させるために、吹出板と吹出ノズルとの間に、支持体に略平行且つ支持体幅方向の両端部側に遮風板を設けることで、塗布膜両端部への吹出板からの吹き付け風速を塗布膜中央部より小さくし、それによって膜面上を流れる風速の支持体幅方向不均一を抑制し、支持体幅方向の乾燥速度を一定にするという精密乾燥の目的を達せられるようにした。
【００１０】
請求項１の発明によれば、塗布膜が形成された連続走行する帯状の支持体を搬入出させるための入口と出口とを有するケーシングと、前記ケーシング内に設けられ、前記支持体の塗布膜面の全面に乾燥風を吹き付ける吹付手段と、前記支持体の塗布膜面から３〜１００ｍｍの距離に、前記支持体に対して略平行に設けられた多孔性の吹出板と、前記多孔性の吹出板と前記吹付手段との間であって、前記支持体幅方向両端部に吹き付けられる乾燥風を減少させる、前記吹出板に対して略平行且つ前記支持体幅方向の両端部側に設けられた遮風板と、を有することで、塗布膜の乾燥状態が端部と中央部とで異なることのない塗布膜の乾燥装置を提供することができる。
【００１１】
尚、支持体幅方向両端部に吹き付けられる乾燥風を減少させる遮風板は、乾燥風を１００％阻止するものであっても良いし、多孔性のものであって例えば２０％阻止するものであっても良い。
【００１２】
請求項２に記載の発明は、請求項１の発明において、前記遮風板は、前記吹出板の直上又は前記吹出板から浮上させて設けられていることを特徴とする。
【００１３】
請求項２によれば、遮風板が多孔性の吹出板から吹出板の直上又は吹出板から浮上させて設けられていることで好適に吹出板上の圧力分布を緩和することができる。
【００１４】
尚、遮風板の設置位置は支持体と多孔性の吹出板の設置距離により最適値が存在し、吹出板が支持体から５〜２５ｍｍの距離に設けられているときには、遮風板が吹出板から５０〜２００ｍｍの距離に設けられているときに好適に圧力分布を緩和することができる。
【００１５】
請求項３に記載の発明は、請求項１又は２の発明において、前記両端部側に設けられた遮風板は、それぞれ前記塗布膜の５％以上を覆うことを特徴とする。
【００１６】
請求項３によれば、両端部側に設けられた遮風板がそれぞれ塗布膜の５％以上を覆うことで好適に吹出板上の圧力分布を緩和することができる。
【００１７】
請求項４に記載の発明は、請求項１〜３の何れか１の発明において、前記吹出板は、前記支持体から５〜２５ｍｍの距離に設けられていることを特徴とする。
本発明は、多孔性の吹出板は、支持体から５〜２５ｍｍの距離に設けられていることが更に好ましい。
【００１８】
請求項５に記載の発明は、請求項２又は３の発明において、前記遮風板は、前記吹出板からの距離及び／又は前記幅の範囲で調整可能であることを特徴とする。また、請求項６の発明は、請求項４の発明において、前記吹出板は、前記塗布膜面からの距離の範囲で調整可能であることを特徴とする。
【００１９】
このように遮風板及び／又は多孔性の吹出板が調整可能であることで、塗布液の溶媒や塗布量、塗布速度、塗布幅によって異なる最適の乾燥条件を設定することができる。
【００２０】
請求項７の発明では、請求項１〜６の何れか１に記載の塗布膜の乾燥装置を用いて製造されたことを特徴とする光学フィルムを提供する。
【００２１】
請求項７によれば、本発明の塗布膜の乾燥装置により光学フィルムを製造することで、乾燥ムラの無い光学フィルムを提供することができる。  
【発明の効果】
【００２２】
本発明によれば、連続的に走行する帯状の支持体上に塗布液を塗布して形成した塗布膜を乾燥する際に、塗布膜の乾燥状態が端部と中央部とで異なることがない。
これにより、本発明の塗布膜の乾燥装置を精密乾燥が要求される光学フィルム製造の乾燥装置として使用すれば、乾燥ムラのない高品質な光学フィルムを製造することができる。
【発明を実施するための最良の形態】
【００２３】
以下、添付図面により本発明の塗布膜の乾燥装置の好ましい実施の形態について詳説する。尚、ここでは、光学フィルムの製造工程の場合について説明するが、光学フィルムの製造工程に限らず、搬送物が連続的に走行する帯状支持体であれば何れの製造工程にも適用できる。
【００２４】
図１は、本発明の塗布膜の乾燥装置を組み込んだ光学フィルムの製造工程の概略図である。
【００２５】
送出機１２により送り出された長尺状の支持体１４（以下ウエブという）は、駆動ローラにより搬送され、塗布機１６により塗布液が塗布され、塗布液が塗布されたウエブ１４を通過させて乾燥装置１８により塗布液は乾燥され、巻取機２０で巻き取られる。
【００２６】
塗布機１６は、例えば、ワイヤーバーを備えたバー塗布装置を使用することができ、複数のサポートローラに支持されて走行するウエブ１４の下面に塗布液が塗布されて塗布膜が形成される。塗布膜の厚みはウエット厚みで１μｍ〜５０μｍの範囲、好ましくは２μｍ〜４０μｍの範囲、特に好ましくは２μｍ〜１０μｍの範囲である。塗布液の粘度は２０ｍＰａｓ／秒以下が好ましい。ウエブ１４の走行速度は５〜１００ｍ／分の範囲が好ましく、２０〜８０ｍ／分の範囲が特に好ましい。
【００２７】
図２に示すように乾燥装置１８は、主として、乾燥装置本体２６と、ウエブ１４に塗布形成された塗布膜に乾燥風を吹き出す吹付手段である乾燥風吹き出し部２８と、吹き出された乾燥風を排気する排気部３０とで構成される。
【００２８】
乾燥装置本体（ケーシング）２６内には、入口３２から出口３４に向けてウエブ１４が走行するトンネル状の乾燥ゾーンが形成され、ウエブ１４の走行ラインには複数のパスローラ３６、３６…が配置される。
【００２９】
乾燥風吹き出し部２８は、乾燥ゾーンのウエブ１４を境に塗布膜側に設けられる。乾燥風吹き出し部２８は、給気ダクト４２に連通される。給気ダクト４２には、新鮮風を取り込んで乾燥風吹き出し部２８に給気する給気ファン４４、新鮮風を加熱するヒータ４６、新鮮風の塵埃等を濾過するフィルタ４８が設けられる。これにより、給気ダクト４２から均圧チャンバ内に供給された乾燥風は、吹き出し圧力が均圧化された後、乾燥風吹き出し部２８から塗布膜の全面に向けて吹き出される。
【００３０】
一方、乾燥ゾーンのウエブ１４を境に塗布膜の反対側には、乾燥風吹き出し部２８から吹き出された乾燥風を排気する排気部３０が設けられ、排気部３０に形成された排気口（図示せず）は排気ダクト５２を介して排気ファン５４に接続される。
【００３１】
かかる乾燥装置１８の構成において、本発明では、図２又は図３に示すように、ウエブ１４と乾燥風吹き出し部２８との間に、ウエブ１４の塗布膜１４Ａから３〜１００ｍｍの距離ｄに、ウエブ１４に対して略平行に多孔性の吹出板６０と、その吹出板６０と乾燥風吹き出し部２８との間に、ウエブ１４幅方向両端部に吹き付けられる乾燥風を減少させるウエブ１４に対して略平行且つウエブ１４幅方向の両端部側に遮風板６２、６２とを設けることとした。
【００３２】
乾燥風吹き出し部２８の吹き出し面に多孔性の吹出板６０を配置することにより、乾燥風の圧力が高められ、均圧化されてから塗布膜１４Ａに吹き出されるので、ある程度の均一吹き出しを行うことができる。
【００３３】
尚、ここで、多孔性の吹出板６０は、略全面に多数の貫通孔が形成された板状部材であり、例えば、金網又はパンチングメタルを好適に使用できる。吹出板６０の開口率は５０％以下が好ましく、開口率が２０％〜４０％であることがより好ましい。具体的には、２５０〜３００メッシュで開口率３０％の金網を好適に用いることができる。
【００３４】
しかしながら、このように多孔性の吹出板６０を設けることでウエブ１４幅方向の中央部近傍の風速分布を抑制することはできるが、特に、ウエブ１４の塗布膜１４Ａから３〜１００ｍｍの距離の場合には、多孔性の吹出板上下の圧力差が生じにくいため、塗布膜の中央部近傍に吹き付けられる乾燥風が減少する一方、塗布膜の両端部側に吹き付けられる乾燥風が増加してしまうため、塗布膜両端部が速乾してしまい、乾燥速度の不均一による乾燥ムラが発現してしまう現象が見られる。
【００３５】
そこで、本発明では、更に、ウエブ１４幅方向の両端部側に遮風板６２、６２を設けている。このように、多孔性の吹出板６０の上方に図２や図３に示すように遮風板６２、６２を設置することで、多孔性の吹出板６０上の圧力分布を緩和することができる。従って、塗布膜の両端部側に吹き付けられる乾燥風が増加してしまうために塗布膜両端部が速乾してしまい乾燥ムラが発現するのを防ぐことができる。
【００３６】
尚、遮風板６２、６２は、図３に示しているように、ケーシング２６の壁面側から乾燥風が塗布膜１４Ａに回り込むことによる弊害がある場合には、ケーシング２６壁面に隙間が生じないように設けることが好ましい。従って、遮風板はケーシングに支持されることに限られず、吹出ノズル３８又は吹出板６０に支持されている態様でも良い。また、遮風板６２、６２は、板状部材であるが、吹出板６０のように貫通孔が形成されている板状部材を用いることもできる。
【００３７】
そして、図３に示すように、遮風板６２、６２は、吹出板の直上又は吹出板から浮上させて設けられていることを特徴とする。遮風板が多孔性の吹出板から吹出板の直上又は吹出板から浮上させて設けられていることで好適に膜面上の風速乾燥速度分布の不均一（端部速乾）を緩和することができる。尚、遮風板６２の設置位置は支持体と多孔性の吹出板６０の設置距離Ｄ、乾燥速度に関わるパラメーター（例えば吹き付け風速、吹き付け風温、湿潤塗布膜中の溶媒の種類、乾燥開始からの経過時間）、塗布幅により最適値が存在し、例えば、吹出板が支持体から５〜２５ｍｍの距離に設けられているときには、遮風板が吹出板から５０〜２００ｍｍの距離に設けるというように乾燥各ゾーンの遮風板の位置を最適に設定することによって、好適に支持体幅方向の膜面風速分布・乾燥速度分布の不均一を緩和することができる。
【００３８】
また、両端部側に設けられた遮風板６２、６２は、それぞれ必要ならば塗布膜１４Ａの５％以上を覆うことが好ましい。即ち、図３において、塗布膜の塗布幅をＸ、遮風板６２が覆っている幅がそれぞれｘとしたとき、２ｘ／Ｘが５％以上であることが好ましい。両端部側に設けられた遮風板がそれぞれ塗布膜の５％以上を覆うことで支持体端部への吹き付け風速を減らし、好適に膜面上の風速分布不均一を緩和することができる。
【００３９】
また、本発明において、吹出板６０の塗布膜１４Ａからの距離ｄは、３〜１００ｍｍの範囲であるが、５〜２５ｍｍの範囲であることが更に好ましい。
【００４０】
尚、上記の距離ｄ、Ｄや２ｘ／Ｘの適正値は、塗布液の溶媒や塗布量、塗布速度、塗布幅により異なる。したがって、多品種の製品を製造する製造ラインの乾燥装置においては、吹出板６０の位置、及び、遮風板６２、６２の位置及び長さが可変できる可変機構を有していることが望ましい。
【００４１】
本発明で使用されるウエブ１４としては、一般に幅０．３〜５ｍ、長さ４５〜１００００ｍ、厚さ５〜２００μｍのポリエチレンテレフタレート、ポリエチレン−２，６ナフタレート、セルロースダイアセテート、セルローストリアセテート、セルロースアセテートプロピオネート、ポリ塩化ビニル、ポリ塩化ビニリデン、ポリカーボネート、ポリイミド、ポリアミド等のプラスチックフィルム、紙、ポリエチレン、ポリプロピレン、エチレンブテン共重合体等の炭素数が２〜１０のα−ポリオレフィン類を塗布又はラミネートした紙、アルミニウム、銅、錫等の金属箔等、或いは帯状基材の表面に予備的な加工層を形成させたものが含まれる。更に、前記したウエブ１４には、光学補償シート塗布液、磁性塗布液、写真感光性塗布液、表面保護、帯電防止あるいは滑性用塗布液等がその表面に塗布され、乾燥された後、所望する長さ及び幅に裁断されるものも含まれ、これらの代表例としては、光学補償シート、各種写真フィルム、印画紙、磁気テープ等が挙げられる。
【００４２】
塗布液の塗布方法として、上記したバーコーティング法の他、カーテンコーティング法、エクストルージョンコーティング法、ロールコーティング法、ディップコーティング法、スピンコーティング法、印刷コーティング法、スプレーコーティング法及びスライドコーティング法を使用することができる。特にバーコーティング法、エクストルージョンコーティング法、スライドコーティング法が好適に使用できる。
【００４３】
また、本発明において塗布される塗布液の塗布層の数は単層に限定されるものではなく、必要に応じて同時多層塗布方法等にも適用できる。
【実施例】
【００４４】
以下に実施例を示すが、本発明はこれらに限定されるわけではない。
【００４５】
給排気幅、遮風板高さ可変の乾燥装置を用いて効果の確認を行った。使用した塗布液は反射防止膜用の塗布液、屈折率が１．４２であり、熱架橋性含フッ素ポリマーの６重量％のメチルエチルケトン溶液（ＪＮ−７２２８、ＪＳＲ（株）製）９３ｇに、ＭＥＫ−ＳＴ（平均粒径１０ｎｍ〜２０ｎｍ、固形分濃度３０重量％のＳｉＯ2 ゾルのメチルエチルケトン分散物、日産化学（株）製）８ｇ、メチルエチルケトン９４ｇ及びシクロヘキサノン６ｇを添加、攪拌の後、孔径１μｍのポリプロピレン製フィルタ（ＰＰＥ−０１）で濾過して、低屈折率層用塗布液を調製した。
【００４６】
膜面近接に膜面から２０ｍｍのクリアランスで給排気幅１６００ｍｍの吹出板（開口率２０％、パンチングメタル）を設置した乾燥装置を用いて、塗布幅１３２０ｍｍ、塗布量３．５ｃｃ／ｍ２の液の塗布を行い、給気乾燥を行ったところ、膜面端部風速増加による膜厚変化に起因する幅方向色味分布が生じた。
【００４７】
幅方向の風速分布改善のために、ウエブの上かつ吹出板の上に遮風板を設置することで給気幅を変更し、塗布〜乾燥試験を行った結果を表１に記す。なお、目標の幅方向膜厚分布は５％であり、乾燥ムラは△○以上である。
【００４８】
【表１】
2010069443.tif 000003
【００４９】
給気幅を小さくしていくことで幅方向膜厚分布は良化するが、遮風部端部付近に急峻な風速分布による乾燥ムラ（膜厚ムラ）が悪化することが分かる。
【００５０】
次に、この給気端部風速増加の対策として、吹出し板上に設置した遮風板の吹出板からの距離を変更した場合の膜面風速および前記反射防止膜（支持体幅１３４０ｍｍ、塗布幅１３２０ｍｍ、塗布量３．５ｃｃ／ｍ２）の塗布確認を実施した結果を表２に記す。なお、このときの吹出し板は１６００ｍｍ幅の給気幅、遮風板の開口幅は６００ｍｍに固定した。
【００５１】
【表２】
2010069443.tif 000004
【００５２】
遮風板設置高さを大きくすることで乾燥ムラは良化するが幅方向膜厚分布が悪化しており、給気幅と遮風板設置高さには最適値が存在することが分かる。
次に、塗布幅変更時の塗布試験結果を表３に記す。このとき遮風板高さを１００ｍｍに固定し給気幅の変更を実施した。
【００５３】
【表３】
2010069443.tif 000005
【００５４】
塗布幅変更時にも給気幅を変更することで幅方向膜厚分布、乾燥ムラを抑制可能である。
【００５５】
次に、塗布量、塗布速度を変更した場合の塗布試験結果を表４に記す。遮風板は高さを１００ｍｍに固定し、給気幅を変更している。
【００５６】
【表４】
2010069443.tif 000006
【００５７】
塗布量、塗布速度変更により膜厚分布と乾燥ムラの発生状況に差異が生じており、条件ごとに最適給気幅が存在することが分かる。
【図面の簡単な説明】
【００５８】
【図１】光学フィルムの製造工程の一例を示す概略図である。
【図２】本発明の乾燥装置を説明する構造図
【図３】本発明の乾燥装置を説明する正面図
【符号の説明】
【００５９】
１０…光学フィルムの製造装置、１２…送出機、１４…ウエブ（支持体）、１４Ａ…塗布膜、１６…塗布コータ、１８…乾燥装置、２０…巻取機、２６…乾燥装置本体（ケーシング）、２８…乾燥風吹き出し部（吹付手段）、３０…排気部、３２…乾燥ゾーンの入口、３４…乾燥ゾーンの出口、３６…パスローラ、４２…給気ダクト、４４…給気ファン、４６…ヒータ、４８…フィルタ、５２…排気ダクト、５４…排気ファン、６０…多孔性の吹出板、６２…遮風板
【図１】
2010069443.tif 000007
【図２】
2010069443.tif 000008
【図３】
2010069443.tif 000009